(57)【要約】【課題】接続対象に対するプレスフィット端子の保持力を向上させることができる接触部及びプレスフィット端子を提供する。【解決手段】接触部２０は、プレスフィット端子１の柱状のピン１０に接続され、ばね性を有する接触部２０であって、プレスフィット端子１の接続対象である回路基板ＢのスルーホールＨの内周面に接触し、回路基板ＢのスルーホールＨの下側縁に係止する第１係止部４１Ａを有する第１係止接触片４０Ａと、第１係止接触片４０Ａを支持する下側連結部６０と、を備える。【選択図】図４
2018073550.tif 000002
【特許請求の範囲】
【請求項１】
プレスフィット端子の柱状のピンに接続され、ばね性を有する接触部であって、
前記プレスフィット端子の接続対象に接触し、前記接続対象に係止する第１係止部を有する第１係止接触片と、
前記第１係止接触片を支持する連結部と、
を備える、接触部。
【請求項２】
前記第１係止接触片は、前記ピンの中心軸に平行な直線部分を有する、請求項１に記載の接触部。
【請求項３】
前記プレスフィット端子の前記接続対象に接触する第１弾性接触片を備え、
前記連結部は、前記第１弾性接触片を支持し、
前記第１弾性接触片は、前記ピンの中心軸に対して傾斜しつつ、前記連結部から延びる第１傾斜部分と、前記第１傾斜部分の先端で折れ曲がって、当該先端から延びる第２傾斜部分と、から構成されるＶ字形状の部分を有する、請求項１又は２に記載の接触部。
【請求項４】
前記連結部は、前記第１係止接触片を支持する第１支持部分と、前記第１弾性接触片を支持する第２支持部分と、を有し、
前記第１支持部分の中心軸方向の長さは、前記第２支持部分の中心軸方向の長さより短い、請求項３に記載の接触部。
【請求項５】
前記プレスフィット端子の前記接続対象に接触し、前記接続対象に係止する第２係止部を有し、前記第１係止接触片と対向する第２係止接触片と、
前記プレスフィット端子の前記接続対象に接触し、前記第１弾性接触片と対向する第２弾性接触片と、
を備える、請求項３又は４に記載の接触部。
【請求項６】
前記第２係止接触片は、前記ピンの中心軸に平行な部分を有する、請求項５に記載の接触部。
【請求項７】
前記連結部は、前記第２弾性接触片を支持し、
前記第２弾性接触片は、前記ピンの中心軸に対して傾斜しつつ、前記連結部から延びる第３傾斜部分と、前記第３傾斜部分の先端で折れ曲がって、当該先端から延びる第４傾斜部分と、から構成されるＶ字形状の部分を有する、請求項５又は６に記載の接触部。
【請求項８】
前記連結部の、前記ピンの中心軸に直交する断面は、Ｃ形状の断面である、請求項１から７のいずれか一項に記載の接触部。
【請求項９】
請求項１から８のいずれか一項に記載の接触部と、
前記接触部が接続されている柱状のピンと、
を備える、プレスフィット端子。
【請求項１０】
前記プレスフィット端子は、前記接続対象に形成されている孔に挿入するものであって、
前記第１係止部は、前記孔への挿入方向から抜け止めする方向に、前記接続対象に係止される、請求項９に記載のプレスフィット端子。
【請求項１１】
前記接触部と前記ピンとは、別の部材から構成されている、請求項９又は１０に記載のプレスフィット端子。
【請求項１２】
前記接触部と前記ピンとは、単一の部材から構成されている、請求項９又は１０に記載のプレスフィット端子。
【発明の詳細な説明】
【技術分野】
【０００１】
本発明は、接触部及びプレスフィット端子に関する。
【背景技術】
【０００２】
プレスフィット端子は、例えば、回路基板に形成されたスルーホールに挿入されて用いられる（例えば特許文献１、２参照）。このプレスフィット端子は、棒状のピンと、ピンに取り付けられる接触部と、を備える。この接触部が、スルーホール内の電極に接触することにより、プレスフィット端子とスルーホールとが電気的に接続される。
【先行技術文献】
【特許文献】
【０００３】
【特許文献１】特許第５４４５６０５号公報
【特許文献２】特許第５８３１５０９号公報
【発明の概要】
【発明が解決しようとする課題】
【０００４】
このようなプレスフィット端子には、基板に対する保持力が要求されるが、更に高い保持力が要求されることがある。
【０００５】
本発明は、上述の事情の下になされたもので、接続対象に対するプレスフィット端子の保持力を向上させることができる接触部及びプレスフィット端子を提供することを目的とする。
【課題を解決するための手段】
【０００６】
上述の目的を達成するために、本発明の第１の観点に係る接触部は、
プレスフィット端子の柱状のピンに接続され、ばね性を有する接触部であって、
前記プレスフィット端子の接続対象に接触し、前記接続対象に係止する第１係止部を有する第１係止接触片と、
前記第１係止接触片を支持する連結部と、
を備える。
【０００７】
前記第１係止接触片は、前記ピンの中心軸に平行な直線部分を有していてもよい。
【０００８】
前記プレスフィット端子の前記接続対象に接触する第１弾性接触片を備え、
前記連結部は、前記第１弾性接触片を支持し、
前記第１弾性接触片は、前記ピンの中心軸に対して傾斜しつつ、前記連結部から延びる第１傾斜部分と、前記第１傾斜部分の先端で折れ曲がって、当該先端から延びる第２傾斜部分と、から構成されるＶ字形状の部分を有していてもよい。
【０００９】
前記連結部は、前記第１係止接触片を支持する第１支持部分と、前記第１弾性接触片を支持する第２支持部分と、を有し、
前記第１支持部分の中心軸方向の長さは、前記第２支持部分の中心軸方向の長さより短くてもよい。
【００１０】
前記プレスフィット端子の前記接続対象に接触し、前記接続対象に係止する第２係止部を有し、前記第１係止接触片と対向する第２係止接触片と、
前記プレスフィット端子の前記接続対象に接触し、前記第１弾性接触片と対向する第２弾性接触片と、
を備えていてもよい。
【００１１】
前記第２係止接触片は、前記ピンの中心軸に平行な部分を有していてもよい。
【００１２】
前記連結部は、前記第２弾性接触片を支持し、
前記第２弾性接触片は、前記ピンの中心軸に対して傾斜しつつ、前記連結部から延びる第３傾斜部分と、前記第３傾斜部分の先端で折れ曲がって、当該先端から延びる第４傾斜部分と、から構成されるＶ字形状の部分を有していてもよい。
【００１３】
前記連結部の、前記ピンの中心軸に直交する断面は、Ｃ形状の断面であってもよい。
【００１４】
本発明の第２の観点に係るプレスフィット端子は、
第１の観点に係る接触部と、
前記接触部が接続されている柱状のピンと、
を備える。
【００１５】
前記プレスフィット端子は、前記接続対象に形成されている孔に挿入するものであって、
前記第１係止部は、前記孔への挿入方向から抜け止めする方向に、前記接続対象に係止されてもよい。
【００１６】
前記接触部と前記ピンとは、別の部材から構成されていてもよい。
【００１７】
前記接触部と前記ピンとは、単一の部材から構成されていてもよい。
【発明の効果】
【００１８】
本発明に係る接触部では、第１係止接触片は、プレスフィット端子の接続対象に係止する第１係止部を有する。この第１係止部の係止作用により、接続対象に対するプレスフィット端子の保持力を向上させることができる。
【図面の簡単な説明】
【００１９】
【図１】本発明の実施の形態１に係るプレスフィット端子の斜視図である。
【図２】プレスフィット端子の平面図である。
【図３】図２のＩＩＩ−ＩＩＩ断面図である。
【図４】図３の部分拡大図である。
【図５】接触部等の斜視図である。
【図６】接触部の平面図である。
【図７】図６のＶＩＩ−ＶＩＩ断面図である。
【図８】図６のＶＩＩＩ−ＶＩＩＩ断面図である。
【図９】（Ａ）は、下側連結部の斜視図である。（Ｂ）は、下側連結部の断面図である。
【図１０】展開した接触部の斜視図である。
【図１１】展開した接触部の正面図である。
【図１２Ａ】係止接触部の作用を説明するための断面図（その１）である。
【図１２Ｂ】係止接触部の作用を説明するための断面図（その２）である。
【図１３】比較例１に係るプレスフィット端子の斜視図である。
【図１４】比較例１に係るプレスフィット端子の断面図である。
【図１５】比較例２に係る接触部の断面図である。
【図１６】（Ａ）は、本発明の実施の形態２に係るプレスフィット端子の斜視図（その１）である。（Ｂ）は、実施の形態２に係るプレスフィット端子の斜視図（その２）である。
【図１７】実施の形態２に係るプレスフィット端子の断面図である。
【発明を実施するための形態】
【００２０】
実施の形態１．
以下、本発明の実施の形態１に係るプレスフィット端子１及び接触部２０について、図１〜図１５を用いて説明する。なお、理解を容易にするために、プレスフィット端子１のピン１０の中心軸Ａ１に平行な方向をＺ軸方向とするＸＹＺ座標を設定し、適宜参照する。また、図中、同一または同等の部分には同一の符号を付す。
【００２１】
プレスフィット端子１は、例えば、６０Ａ〜８０Ａの大電流を通電することができる端子であり、例えば、接続対象である回路基板Ｂの導体部分に電気的に接続されて用いられる。図１に示すように、プレスフィット端子１は、ピン１０と、ばね性を有する接触部２０とを備える。本実施の形態１においては、ピン１０と接触部２０とは、別の部材から構成されている。
【００２２】
図２及び図３に示すように、ピン１０は、接触部２０が取り付けられている柱状の部材であり、例えば、図示しない端子モジュールの外部接続用端子として機能する。ピン１０は、導電性の板材を曲げ加工することにより形成されている。このピン１０は、円柱形状に形成されたピン本体１１と、細長い板状に形成された主片１２と、主片１２の幅よりも広い幅部分を有する幅広片１３と、を有する。幅広片１３には、Ｚ軸方向を長手方向とし、Ｘ軸方向に貫通する長孔１３ａが形成されている。幅広片１３には、例えば金属ワイヤがボンディングされる。
【００２３】
図４に示すように、接触部２０は、貫通孔を有する略円筒形状に形成され、ピン１０のピン本体１１に、下側から（＋Ｚ方向へ）嵌め込まれている。図５及び図６に示すように、接触部２０は、上側連結部３０と、一対の係止接触片４０Ａ，４０Ｂと、一対の弾性接触片５０Ａ，５０Ｂと、下側連結部６０とを備える。
【００２４】
上側連結部３０は、係止接触片４０Ａ，４０Ｂの上端（＋Ｚ側の端部）及び弾性接触片５０Ａ，５０Ｂの上端（＋Ｚ側の端部）に連結されることにより、係止接触片４０Ａ，４０Ｂ及び弾性接触片５０Ａ，５０Ｂを支持する。上側連結部３０は、そのＸＹ断面が、一部が開放されたＣ字形状となるように形成されている。上側連結部３０のＣ字形状の開放部分は、内部から外部に通じるスリットＳ１として構成されている。なお、実施の形態１においては、上側連結部３０には、１つのスリットＳ１が形成されている。
【００２５】
図４及び図５に示すように、係止接触片４０Ａ，４０Ｂ及び弾性接触片５０Ａ，５０Ｂの計４本の接触片は、接続対象である回路基板ＢのスルーホールＨの内壁面に接触する部位である。係止接触片４０Ａ，４０Ｂ及び弾性接触片５０Ａ，５０Ｂは、ピン１０の中心軸Ａ１から外側に膨らんだ形状にそれぞれ形成され、スルーホールＨへのプレスフィット端子１の挿入に伴って、内側に撓むように設けられている。
【００２６】
図７に示すように、係止接触片４０Ａ（第１係止接触片）は、第１係止部４１Ａと、直線部分４２Ａと、傾斜部分４３Ａ，４４Ａとを有する。第１係止部４１Ａは、接続対象である回路基板Ｂに係止するためにも用いられる。また、直線部分４２Ａは、Ｚ軸方向に平行に形成されている。この直線部分４２Ａの下側（−Ｚ側）には、第１係止部４１Ａが設けられている。傾斜部分４３Ａは、ピン１０の中心軸Ａ１に対して離れるように傾斜しつつ、下側連結部６０から延びる。傾斜部分４４Ａは、直線部分４２Ａの＋Ｚ側の端部で折れ曲がって、当該端部から延び、ピン１０の中心軸Ａ１に対して近づくように傾斜しつつ、上側連結部３０に連結されている。これら各部分は、傾斜部分４４Ａ、直線部分４２Ａ、第１係止部４１Ａ、傾斜部分４３Ａの順に設けられている。
【００２７】
係止接触片４０Ｂ（第２係止接触片）は、係止接触片４０ＡとＸＺ平面に対称に形成されている。係止接触片４０Ｂは、係止接触片４０Ａと同様に、第２係止部４１Ｂと、直線部分４２Ｂと、傾斜部分４３Ｂ，４４Ｂとを有する。第２係止部４１Ｂは、第１係止部４１Ａと共に、接続対象である回路基板Ｂに係止するためにも用いられる。また、直線部分４２Ｂは、Ｚ軸方向に平行に形成されている。この直線部分４２Ｂの下側（−Ｚ側）には、第２係止部４１Ｂが設けられている。傾斜部分４３Ｂは、ピン１０の中心軸Ａ１に対して離れるように傾斜しつつ、下側連結部６０から延びる。傾斜部分４４Ｂは、直線部分４２Ｂの＋Ｚ側の端部で折れ曲がって、当該端部から延び、ピン１０の中心軸Ａ１に対して近づくように傾斜しつつ、上側連結部３０に連結されている。これら各部分は、傾斜部分４４Ｂ、直線部分４２Ｂ、第２係止部４１Ｂ、傾斜部分４３Ｂの順に設けられている。
【００２８】
図８に示すように、弾性接触片５０Ａ（第１弾性接触片）は、第１傾斜部分５１Ａと、第２傾斜部分５２Ａとを有する。第１傾斜部分５１Ａは、ピン１０の中心軸Ａ１に対して離れるように傾斜しつつ、下側連結部６０から延びる。第２傾斜部分５２Ａは、第１傾斜部分５１Ａの先端で折れ曲がって、当該先端から延び、ピン１０の中心軸Ａ１に対して近づくように傾斜しつつ、上側連結部３０に連結されている。これらの第１傾斜部分５１Ａと第２傾斜部分５２Ａとにより、Ｖ字形状を構成する。
【００２９】
弾性接触片５０Ｂ（第２弾性接触片）は、弾性接触片５０ＡとＹＺ平面に対称に形成されている。弾性接触片５０Ｂは、弾性接触片５０Ａと同様に、第３傾斜部分５１Ｂと、第４傾斜部分５２Ｂとを有する。第３傾斜部分５１Ｂは、ピン１０の中心軸Ａ１に対して離れるように傾斜しつつ、下側連結部６０から延びる。第４傾斜部分５２Ｂは、第３傾斜部分５１Ｂの先端で折れ曲がって、当該先端から延び、ピン１０の中心軸Ａ１に対して近づくように傾斜しつつ、上側連結部３０に連結されている。これらの第３傾斜部分５１Ｂと第４傾斜部分５２Ｂとにより、Ｖ字形状を構成する。
【００３０】
図５に示すように、下側連結部６０（連結部）は、係止接触片４０Ａ，４０Ｂの下端（−Ｚ側の端部）及び弾性接触片５０Ａ，５０Ｂの下端（−Ｚ側の端部）に連結されることにより、４本の接触片を、上側連結部３０と共に支持する。下側連結部６０は、そのＸＹ断面が、一部が開放されたＣ字形状となるように形成されている。下側連結部６０のＣ字形状の開放部分は、内部から外部に通じるスリットＳ２として構成されている。なお、実施の形態１においては、下側連結部６０には、１つのスリットＳ２が形成されている。
【００３１】
図９（Ａ），（Ｂ）及び図１０に示すように、下側連結部６０は、第１支持部分６１，第２支持部分６２，第３支持部分６３，第４支持部分６４との４つの部分から構成されている。第１支持部分６１，第２支持部分６２，第３支持部分６３，第４支持部分６４は、下側連結部６０の円周方向にその順に形成されている。第１支持部分６１は、係止接触片４０Ａを支持する部分であり、第２支持部分６２は、弾性接触片５０Ａを支持する部分である。また、第３支持部分６３は、係止接触片４０Ｂを支持する部分であり、第４支持部分６４は、弾性接触片５０Ｂを支持する部分である。
【００３２】
図１１に示すように、下側連結部６０の第１支持部分６１は、そのＺ軸方向の長さＨ１が、第３支持部分６３のＺ軸方向の長さＨ３と同じ長さになるように形成されている。第２支持部分６２は、そのＺ軸方向の長さＨ２が、第４支持部分６４のＺ軸方向の長さＨ４と同じ長さになるように形成されている。また、第１支持部分６１，第３支持部分６３は、そのＺ軸方向のそれぞれの長さＨ１，Ｈ３が、第２支持部分６２，第４支持部分６４のＺ軸方向の長さＨ２，Ｈ４よりも短くなるように形成されている。長さＨ１，Ｈ３が、長さＨ２，Ｈ４よりも短いことから、下側連結部６０には、２つの切欠き７０，７１が形成される。係止接触片４０Ａは、切欠き７０の底から延びるように、下側連結部６０に連結されている。同様に、係止接触片４０Ｂは、切欠き７１の底から延びるように、下側連結部６０に連結されている。
【００３３】
上述のように構成されたプレスフィット端子１を回路基板ＢのスルーホールＨに挿入する際の、接触部２０の作用について、図１２Ａ及び図１２Ｂを用いて説明する。
【００３４】
プレスフィット端子１を挿入方向Ｄ１に移動させていくと、図１２Ａに示すように、接触部２０がスルーホールＨに挿入され、やがて、傾斜部分４３Ａ，４３Ｂが、スルーホールＨの開口の上側縁Ｅ１に接触する。さらに、接触部２０がスルーホールＨに挿入されていくと、傾斜部分４３Ａ，４３Ｂが開口の上側縁Ｅ１に案内されて、係止接触片４０Ａ，４０Ｂが内側に撓む。そして、図１２Ｂに示すように、第１係止部４１Ａ及び第２係止部４１Ｂが、スルーホールＨを通過して、スルーホールＨの開口の下側縁Ｅ２に係止する。これにより、第１係止部４１Ａ及び第２係止部４１Ｂは、スルーホールＨへの挿入方向Ｄ１から抜け止めする方向Ｄ２に係止される。
【００３５】
以上、説明したように、本実施の形態１においては、係止接触片４０Ａ，４０Ｂは、回路基板Ｂに係止する第１係止部４１Ａ及び第２係止部４１Ｂをそれぞれ有する。この第１係止部４１Ａ及び第２係止部４１Ｂが、スルーホールＨの開口の下側縁Ｅ２に係止することにより、回路基板Ｂに対するプレスフィット端子１の保持力を向上させることができる。
【００３６】
例えば、図１３に示すような、４本の接触片が、いずれも弾性接触片５０から構成されている従来のプレスフィット端子１００では、第１係止部４１Ａ及び第２係止部４１Ｂを有さない。このため、プレスフィット端子１００は弾性接触片５０の接圧のみにより回路基板Ｂに対する保持力を得ていた。
【００３７】
これに対して、本実施の形態１に係るプレスフィット端子１では、図１２Ａ及び図１２Ｂに示すように、第１係止部４１Ａと第２係止部４１Ｂとを有する係止接触片４０Ａ，４０Ｂを有していることから、第１係止部４１Ａ及び第２係止部４１Ｂが、スルーホールＨの開口の下側縁Ｅ２に係止することができる。これにより、回路基板Ｂに対するプレスフィット端子１の保持力を向上させることができる。
【００３８】
また、本実施の形態１においては、係止接触片４０Ａ，４０Ｂは、図７に示すように、直線部分４２Ａ，４２Ｂを有する。このため、第１係止部４１Ａ及び第２係止部４１Ｂの、スルーホールＨの開口の下側縁Ｅ２への係止能力を高めることができる。
例えば、図１５に示す接触部２２０のように、係止接触片２４０Ａ，２４０Ｂが、直線部分４２Ａ，４２Ｂを有さず、略Ｖ字形状に形成されている場合、スルーホールＨの内壁面にＶ字形状の凸部が接触する。これにより、係止接触片２４０Ａ，２４０Ｂが矢印に示すように内側に撓み、第１係止部４１Ａ及び第２係止部４１Ｂの下側縁Ｅ２への係止が不十分となるおそれがある。
これに対して、本実施の形態１においては、図１２Ａ及び図１２Ｂに示すように、係止接触片４０Ａ，４０Ｂが、スルーホールＨの開口の下側縁Ｅ２に確実に係止することができる。結果として、回路基板Ｂに対するプレスフィット端子１の保持力を向上させることができる。
【００３９】
また、本実施の形態１においては、プレスフィット端子１は、図８に示すように、係止接触片４０Ａ，４０Ｂに加えて、従来と同形状のＶ字形状の部分を有する弾性接触片５０Ａ，５０Ｂを備える。この弾性接触片５０Ａ，５０ＢのＶ字形状の凸部がスルーホールＨの内壁面に接触することにより、高い接圧を得て、電気的接続能力を高めている。このため、従来のプレスフィット端子１００と同等の電気的接続能力を保持しつつ、係止接触片４０Ａ，４０Ｂが、スルーホールＨの開口の下側縁Ｅ２に確実に係止することができる。
【００４０】
また、本実施の形態１においては、図１０及び図１１に示すように、係止接触片４０Ａ，４０Ｂが、切欠き７０，７１の底から延びている。これにより、係止接触片４０Ａ，４０Ｂは、その長さＬ１，Ｌ３が、弾性接触片５０Ａ，５０Ｂの長さＬ２，Ｌ４よりも長くなるように形成される。このため、係止接触片４０Ａ，４０Ｂのばね長が長くなり、撓み量を大きく確保することができる。この結果、係止接触片４０Ａ，４０Ｂのヘタリやばね特性の劣化を抑制することができ、ひいては、ヘタリや劣化に起因する係止接触片４０Ａ，４０Ｂの係止能力の低下を抑制することができる。
また、係止接触片４０Ａ，４０Ｂの撓み量を大きく確保することができるため、スルーホールＨへのプレスフィット端子１の挿入力を低減させることができる。さらに、挿入力を低減することで、スルーホールＨへプレスフィット端子１を挿入するときに基板を傷つけること、係止接触片４０Ａ，４０Ｂに施しためっきが削れることを抑制できる。
【００４１】
実施の形態２．
以下、本発明の実施の形態２に係るプレスフィット端子２について、図１６及び図１７を用いて説明する。なお、以下の実施の形態２では、理解を容易にするため、実施の形態１と同様の構成については、同一の符号を付し説明を省略すると共に、実施の形態１と異なる点を主に説明する。
【００４２】
プレスフィット端子２は、図１６に示すように、ピン１１０と、ばね性を有する接触部１２０とを備える。実施の形態２においては、ピン１１０及び接触部１２０が単一の部材から構成されている点で、実施の形態１に係るプレスフィット端子１と相違する。ピン１１０及び接触部１２０は、一枚の導電性の板材を曲げ加工することにより形成されている。
【００４３】
接触部１２０は、実施の形態１に係る接触部２０と同等の形状に形成されている。具体的には、接触部１２０は、上側連結部３０と、一対の係止接触片４０Ａ，４０Ｂと、一対の弾性接触片５０Ａ，５０Ｂと、下側連結部６０とを備える。係止接触片４０Ａは、第１係止部４１Ａを有すると共に、係止接触片４０Ｂは、第２係止部４１Ｂを有する。
【００４４】
ピン１１０は、ピン本体１１１と、屈曲部１１０ａと、主片１１２と、幅狭片１１３と、を有する。
【００４５】
ピン本体１１１は、図１７に示すように、角柱形状に形成されている。ピン本体１１１は、接触部１２０の内部に、Ｚ軸方向と平行に配置されている
【００４６】
屈曲部１１０ａは、接触部１２０の下側連結部６０の下端（−Ｚ側の端部）から延び、上側（＋Ｚ側）に屈曲して、ピン本体１１１の下端に接続されている。
【００４７】
主片１１２は、接触部１２０の上側連結部３０の上端（＋Ｚ側の端部）から延びている。主片１１２は、板状に形成されている。
【００４８】
幅狭片１１３は、図１６に示すように、主片１１２の幅よりも狭い幅部分を有し、主片１１２の上端（＋Ｚ側の端部）から延びている。幅狭片１１３には、Ｚ軸方向に沿って溝１１３ａが形成されている。幅狭片１１３には、例えば金属ワイヤがボンディングされる。
【００４９】
上述のように構成された本実施の形態２に係るプレスフィット端子２においても、係止接触片４０Ａ，４０Ｂが、回路基板Ｂに係止する第１係止部４１Ａ及び第２係止部４１Ｂをそれぞれ有する。この第１係止部４１Ａ及び第２係止部４１Ｂが、スルーホールＨの開口の下側縁Ｅ２に係止することにより、回路基板Ｂに対するプレスフィット端子２の保持力を向上させることができる。また、それ以外の、上述したプレスフィット端子１と同等の効果が得られる。
【００５０】
また、本実施の形態２においては、ピン１１０及び接触部１２０は、一枚の導電性の板材を曲げ加工することにより形成されている。このため、ピン１１０と接触部１２０とを別々に作成し、互いに組み付ける工程を不要とすることができる。これにより、作業工数を削減することができる。
【００５１】
以上、本発明の実施の形態について説明したが、本発明は上記実施の形態によって限定されるものではない。
【００５２】
例えば、本発明の実施の形態１，２では、プレスフィット端子１，２は、一対の係止接触片４０Ａ，４０Ｂと、一対の弾性接触片５０Ａ，５０Ｂとの４本の接触片を備えている。しかしながら、係止接触片４０Ａ，４０Ｂ、弾性接触片５０Ａ，５０Ｂの本数は任意である。プレスフィット端子１，２は、実施の形態１，２に例示された本数以外の本数の接触片を備えていてもよい。例えば、プレスフィット端子１，２は、３本の係止接触片と、３本の弾性接触片と、を備えていてもよい。また、プレスフィット端子１，２の接触片は、全て、係止接触片であってもよい。
【００５３】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００５４】
１，２，１００  プレスフィット端子、１０，１１０  ピン、１１，１１１  ピン本体、１２，１１２  主片、１３  幅広片、１３ａ  長孔、２０，１２０，２２０  接触部、３０  上側連結部、４０Ａ，２４０Ａ  係止接触片（第１係止接触片）、４０Ｂ，２４０Ｂ  係止接触片（第２係止接触片）、４１Ａ  第１係止部、４１Ｂ  第２係止部、４２Ａ，４２Ｂ  直線部分、４３Ａ，４３Ｂ，４４Ａ，４４Ｂ  傾斜部分、５０，５０Ａ  弾性接触片（第１弾性接触片）、５０Ｂ  弾性接触片（第２弾性接触片）、５１Ａ  第１傾斜部分、５１Ｂ  第３傾斜部分、５２Ａ  第２傾斜部分、５２Ｂ  第４傾斜部分、６０  下側連結部（連結部）、６１  第１支持部分、６２  第２支持部分、６３  第３支持部分、６４  第４支持部分、７０，７１  切欠き、１１０ａ  屈曲部、１１３  幅狭部、１１３ａ  溝、Ｓ１，Ｓ２  スリット、Ａ１  中心軸、Ｂ  回路基板（接続対象）、Ｈ  スルーホール、Ｅ１  上側縁、Ｅ２  下側縁、Ｄ１  挿入方向、Ｄ２  抜け止めする方向、Ｌ１〜Ｌ４  係止片の長さ、Ｈ１〜Ｈ４  支持部分の長さ。
【図１】
2018073550.tif 000003
【図２】
2018073550.tif 000004
【図３】
2018073550.tif 000005
【図４】
2018073550.tif 000006
【図５】
2018073550.tif 000007
【図６】
2018073550.tif 000008
【図７】
2018073550.tif 000009
【図８】
2018073550.tif 000010
【図９】
2018073550.tif 000011
【図１０】
2018073550.tif 000012
【図１１】
2018073550.tif 000013
【図１２Ａ】
2018073550.tif 000014
【図１２Ｂ】
2018073550.tif 000015
【図１３】
2018073550.tif 000016
【図１４】
2018073550.tif 000017
【図１５】
2018073550.tif 000018
【図１６】
2018073550.tif 000019
【図１７】
2018073550.tif 000020